(57)【要約】      （修正有）【課題】使用者が容器を炭酸水製造機から取り外す前に圧力逃しが可能な安全メカニズムを備えた炭酸水製造機の安全圧力逃し装置を提供する。【解決手段】瓶口外側に位置規制環状縁部１１を備える耐圧容器１０を取り付けるために用いられ、該耐圧容器１０の瓶口を固定収容する取り付けポートを備えた支持ベース１１０と、該支持ベース１１０に設けられ、圧力逃しトリガボタン１２１を備えた圧力逃しユニット１２０と、該圧力逃しトリガボタン１２１を押圧可能なトリガ部１３１および該位置規制環状縁部１１と係合可能な干渉部１３２を備え、該支持ベース１１０に対してロック位置と圧力逃し位置との間で相対的に移動可能に該支持ベース１１０に設けられたロック解除ユニット１３０と、を含み、該ロック解除ユニット１３０が該圧力逃し位置に位置するときに、該トリガ部１３１が該圧力逃しトリガボタン１２１を押圧し、かつ、該干渉部１３２と該位置規制環状縁部１１が分離するように構成されている。【選択図】図１
0003206897.tif 000002
【実用新案登録請求の範囲】
【請求項１】
瓶口外側に位置規制環状縁部を備える耐圧容器を取り付けるために用いられる、炭酸水製造機の安全圧力逃し装置であって、
該耐圧容器の瓶口を固定収容する取り付けポートを備えた支持ベースと、
該支持ベースに設けられ、圧力逃しトリガボタンを備えた圧力逃しユニットと、
該圧力逃しトリガボタンを押圧可能なトリガ部および該位置規制環状縁部と係合可能な干渉部を備え、該支持ベースに対してロック位置と圧力逃し位置との間で相対的に移動可能に該支持ベースに設けられたロック解除ユニットと、
を含み、
該ロック解除ユニットが該ロック位置に位置するときには、該トリガ部が該圧力逃しトリガボタンを押圧することなく、かつ、該干渉部が該位置規制環状縁部に干渉して該耐圧容器が固定されるようにし、
該ロック解除ユニットが該圧力逃し位置に位置するときには、該トリガ部が該圧力逃しトリガボタンを押圧し、かつ、該干渉部と該位置規制環状縁部が分離するように構成されている炭酸水製造機の安全圧力逃し装置。
【請求項２】
該ロック解除ユニットは、該支持ベースに枢接された枢軸部と、該枢軸部に対して反対向きの両側に位置する押し下げ部および突き上げ部を備え、該突き上げ部に該トリガ部と該干渉部が設けられ、該トリガ部が該圧力逃しトリガボタンに対して突出する突起で構成されるとともに、該干渉部が該位置規制環状縁部の切り欠きに向かって突出するストッパで構成され、
該押し下げ部が押し下げられかつ該突き上げ部が上向きに移動して、該ロック解除ユニットを該ロック位置から該圧力逃し位置に変更するとき、該トリガ部が該圧力逃しトリガボタンを押圧し、該干渉部が該位置規制環状縁部の切り欠きから外れるように構成されている請求項１記載の安全圧力逃し装置。
【請求項３】
該ロック解除ユニットは、該支持ベースと線的に摺動可能に結合した平行移動部と、平行移動操作する押動部と、該トリガ部と該干渉部が設けられた連動部を備え、該トリガ部は該圧力逃しトリガボタンに向かって突出形成された傾斜面を備え、該干渉部は該位置規制環状縁部の切り欠きに向かって突出するストッパで構成され、
該押動部が押動されかつ該連動部が連動されて平行移動し、該ロック解除ユニットを該ロック位置から該圧力逃し位置に変更するとき、該トリガ部の傾斜面が該圧力逃しトリガボタンを押圧し、該干渉部が該位置規制環状縁部の切り欠きから外れるように構成されている請求項１記載の安全圧力逃し装置。
【請求項４】
該ロック解除ユニットは、該トリガ部が設けられたスリーブ部、該支持ベースと回転して動けるように結合した回転軌道部、該干渉部が設けられた駆動部を備え、該トリガ部は該圧力逃しトリガボタンに向って形成された傾斜面を備え、該干渉部は該駆動部に駆動されて揺動可能に構成され、
該スリーブ部が回転されて該ロック解除ユニットが該ロック位置から該圧力逃し位置に変更されるとき、該トリガ部の傾斜面が該圧力逃しトリガボタンを押圧し、該駆動部が該干渉部を揺動駆動させることにより、該干渉部が該位置規制環状縁部の切り欠きから外れるように構成されている請求項１記載の安全圧力逃し装置。
【請求項５】
該干渉部は回転軸によって該支持ベースに回転連結するように構成され、該駆動部は該スリーブ部の内壁に形成されたラチェット溝で構成され、該ロック解除ユニットが該ロック位置に位置するときには、該干渉部の一端が該駆動部に収容され、他端は該位置規制環状縁部の切り欠きに係合するように構成されている請求項４記載の安全圧力逃し装置。
【請求項６】
該支持ベースは、該取り付けポートに対向して、炭酸水製造機に結合させるための雄ねじを有する取り外し式連結部材を備えている請求項１から５の何れかに記載の安全圧力逃し装置。
【請求項７】
該支持ベースは、該圧力逃しユニットを収容するように収容空間を画成する上蓋およびシャーシを有し、該シャーシに該取り付けポートを備えるとともに該上蓋に該取り外し式連結部材を備えている請求項６記載の安全圧力逃し装置。
【請求項８】
該圧力逃しユニットは、第１の圧力逃し弁および第２の圧力逃し弁を備え、該トリガ部は夫々の圧力逃しトリガボタンの位置、突出高さ、押圧行程に対応するように設けられている請求項１から７の何れかに記載の安全圧力逃し装置。
【請求項９】
該圧力逃しユニットは第１の圧力逃し弁および第２の圧力逃し弁を備えて構成され、該トリガ部はそれぞれの圧力逃し弁に対応して設けられ、該ロック解除ユニットの操作の程度によって圧力の逃がし状態が異なるように構成されている請求項１から８の何れかに記載の炭酸水製造機の安全圧力逃し装置。
【請求項１０】
請求項１から９の何れかに記載の安全圧力逃し装置および耐圧容器を含み、該耐圧容器の瓶口外側に位置規制環状縁部を備え、該耐圧容器の瓶口は該取り付けポートに固定収容される炭酸水製造機の安全圧力逃しキット。
【請求項１１】
該耐圧容器は液体流阻止制御弁を備え、該安全圧力逃し装置を装着した状態で内部の液体を流出可能に構成されている請求項１０記載の安全圧力逃しキット。
【考案の詳細な説明】
【技術分野】
【０００１】
本考案は、炭酸水製造機のための安全圧力逃し装置および安全圧力逃しキットに関する。
【背景技術】
【０００２】
炭酸水製造機は、液体にガスを注入して、液体を飲用に供する際にサイダー（ソーダ水）の口当たりを持たせるための機械であり、いくつかの家庭用タイプの炭酸水製造機は、二酸化炭素ボンベをガス供給源とし、液体を受け入れる容器が炭酸水製造機のガス注入アセンブリに取り付けられ、加圧する方式により二酸化炭素ガスを液体に注入するように構成されている。このため、炭酸水製造機のガス注入操作の後、液体の入った容器は高圧状態になり、使用者は以下の事項を銘記しておかなければならない。即ち、容器を取り外す前に、まず圧力逃しを行なう必要があるということで、さもなければ、容器を取り外す過程で液体が飛び散って容器と共に噴出する状況が生じて、人身の安全に危険が及ぶことがあるという点である。
【０００３】
しかしながら、従来の炭酸水製造機には、強制的に圧力を逃した後でなければ容器を取り外すことができない機構設計がなく、使用者自らが使用手順に注意することに完全に依存しているため、操作ミスを防止し使用者の安全を保障することができない。
【０００４】
また、従来の炭酸水製造機は大部分が飲用水にのみ適用可能であり、果汁や市販飲料等に直接適用することはできなかった。その主な原因は、糖分を含む水とガスが空気抜き弁の詰まりをもたらすためである。果汁等に炭酸ガスを注入すると、飲用水に炭酸ガスを注入するときに比べて発泡の程度が上昇する傾向があり、空気抜き弁から空気やガスを開放する際に果汁が流入することが多々あった。そのため、従来の空気抜き弁が機械本体の内部に配置された炭酸水製造機では、使用者が機械本体を分解して洗浄するのが難しく、長期間の使用で空気抜き弁がふさがることが原因で破損することになり、炭酸水製造機が正常に機能できなくなることが、使用者がメンテナンスや購入の費用を負担しなければならなくなることにつながる。
【先行技術文献】
【特許文献】
【０００５】
特開２０１５−１３９７１５
【考案の概要】
【考案が解決しようとする課題】
【０００６】
本考案の目的は、発泡しやすい果汁等の飲料にも対応可能で、使用者が圧力逃し操作を行なわなければ容器を炭酸水製造機から取り外すことができない安全メカニズムを備えた炭酸水製造機の安全圧力逃し装置を提供する点にある。
【課題を解決するための手段】
【０００７】
上記目的および他の目的を達成するため、本考案による炭酸水製造機の安全圧力逃し装置は、瓶口外側に位置規制環状縁部を備える耐圧容器を取り付けるために用いられる、炭酸水製造機の安全圧力逃し装置であって、該耐圧容器の瓶口を固定収容する取り付けポートを備えた支持ベースと、該支持ベースに設けられ、圧力逃しトリガボタンを備えた圧力逃しユニットと、該圧力逃しトリガボタンを押圧可能なトリガ部および該位置規制環状縁部と係合可能な干渉部を備え、該支持ベースに対してロック位置と圧力逃し位置との間で相対的に移動可能に該支持ベースに設けられたロック解除ユニットと、を含み、該ロック解除ユニットが該ロック位置に位置するときには、該トリガ部が該圧力逃しトリガボタンを押圧することなく、かつ、該干渉部が該位置規制環状縁部に干渉して該耐圧容器が固定されるようにし、該ロック解除ユニットが該圧力逃し位置に位置するときには、該トリガ部が該圧力逃しトリガボタンを押圧し、かつ、該干渉部と該位置規制環状縁部が分離するように構成されている。
【０００８】
該ロック解除ユニットは、該支持ベースに枢接された枢軸部と、該枢軸部に対して反対向きの両側に位置する押し下げ部および突き上げ部を備え、該突き上げ部に該トリガ部と該干渉部が設けられ、該トリガ部が該圧力逃しトリガボタンに対して突出する突起で構成されるとともに、該干渉部が該位置規制環状縁部の切り欠きに向かって突出するストッパで構成され、該押し下げ部が押し下げられかつ該突き上げ部が上向きに移動して、該ロック解除ユニットを該ロック位置から該圧力逃し位置に変更するとき、該トリガ部が該圧力逃しトリガボタンを押圧し、該干渉部が該位置規制環状縁部の切り欠きから外れるように構成されていることが好ましい。
【０００９】
該ロック解除ユニットは、該支持ベースと線的に摺動可能に結合した平行移動部と、平行移動操作する押動部と、該トリガ部と該干渉部が設けられた連動部を備え、該トリガ部は該圧力逃しトリガボタンに向かって突出形成された傾斜面を備え、該干渉部は該位置規制環状縁部の切り欠きに向かって突出するストッパで構成され、該押動部が押動されかつ該連動部が連動されて平行移動し、該ロック解除ユニットを該ロック位置から該圧力逃し位置に変更するとき、該トリガ部の傾斜面が該圧力逃しトリガボタンを押圧し、該干渉部が該位置規制環状縁部の切り欠きから外れるように構成されていることが好ましい。
【００１０】
該ロック解除ユニットは、該トリガ部が設けられたスリーブ部、該支持ベースと回転して動けるように結合した回転軌道部、該干渉部が設けられた駆動部を備え、該トリガ部は該圧力逃しトリガボタンに向って形成された傾斜面を備え、該干渉部は該駆動部に駆動されて揺動可能に構成され、該スリーブ部が回転されて該ロック解除ユニットが該ロック位置から該圧力逃し位置に変更されるとき、該トリガ部の傾斜面が該圧力逃しトリガボタンを押圧し、該駆動部が該干渉部を揺動駆動させることにより、該干渉部が該位置規制環状縁部の切り欠きから外れるように構成されていることが好ましい。
【００１１】
該干渉部は回転軸によって該支持ベースに回転連結するように構成され、該駆動部は該スリーブ部の内壁に形成されたラチェット溝で構成され、該ロック解除ユニットが該ロック位置に位置するときには、該干渉部の一端が該駆動部に収容され、他端は該位置規制環状縁部の切り欠きに係合するように構成されていることが好ましい。
【００１２】
該支持ベースは、該取り付けポートに対向して、炭酸水製造機に結合させるための雄ねじを有する取り外し式連結部材を備えていることが好ましい。
【００１３】
該支持ベースは、該圧力逃しユニットを収容するように収容空間を画成する上蓋およびシャーシを有し、該シャーシに該取り付けポートを備えるとともに該上蓋に該取り外し式連結部材を備えていることが好ましい。
【００１４】
該圧力逃しユニットは、第１の圧力逃し弁および第２の圧力逃し弁を備え、該トリガ部は夫々の圧力逃しトリガボタンの位置、突出高さ、押圧行程に対応するように設けられていることが好ましい。
【００１５】
該圧力逃しユニットは第１の圧力逃し弁および第２の圧力逃し弁を備えて構成され、該トリガ部はそれぞれの圧力逃し弁に対応して設けられ、該ロック解除ユニットの操作の程度によって圧力の逃がし状態が異なるように構成されていることが好ましい。
【００１６】
本発明による炭酸水製造機の安全圧力逃しキットは、上述した何れかの安全圧力逃し装置および耐圧容器を含み、該耐圧容器の瓶口外側に位置規制環状縁部を備え、該耐圧容器の瓶口は該取り付けポートに固定収容される。
【００１７】
該耐圧容器は液体流阻止制御弁を備え、該安全圧力逃し装置を装着した状態で内部の液体を流出可能に構成されていることが好ましい。
【考案の効果】
【００１８】
本発明によれば、発泡しやすい果汁等の飲料にも対応可能で、使用者が圧力逃し操作を行なわなければ容器を炭酸水製造機から取り外すことができない安全メカニズムを備えた炭酸水製造機の安全圧力逃し装置を提供することができるようになった。
【図面の簡単な説明】
【００１９】
【図１】本考案の第１の実施例の安全圧力逃し装置と耐圧容器とを例示する分解図である。
【図２】本考案の第１の実施例の安全圧力逃し装置と耐圧容器とを例示する組み合わせ図である。
【図３】本考案の第１の実施例における干渉部が耐圧容器の位置規制環状縁部に係合する概略図である。
【図４】本考案の第１の実施例におけるロック解除ユニットがロック位置に位置する概略図である。
【図５】本考案の第１の実施例におけるロック解除ユニットが圧力逃し位置に位置する概略図である。
【図６】本考案の第１の実施例における圧力逃しユニットの概略図である。
【図７】本考案の第１の実施例におけるロック解除ユニットの概略図である。
【図８】本考案の第２の実施例の安全圧力逃し装置と耐圧容器とを例示する分解図である。
【図９】本考案の第２の実施例の安全圧力逃し装置と耐圧容器とを例示する組み合わせ図である。
【図１０】本考案の第２の実施例におけるロック解除ユニットがロック位置に位置する概略図である。
【図１１】本考案の第２の実施例におけるロック解除ユニットが圧力逃し位置に位置する概略図である。
【図１２】本考案の第３の実施例の安全圧力逃し装置と耐圧容器とを例示する分解図である。
【図１３】本考案の第３の実施例の安全圧力逃し装置と耐圧容器とを例示する組み合わせ図である。
【図１４】本考案の第３の実施例において、ロック解除ユニットがロック位置に位置するときの、トリガ部と圧力逃しトリガボタンとの相対的位置を示す概略図である。
【図１５】本考案の第３の実施例において、ロック解除ユニットが圧力逃し位置に位置するときの、トリガ部と圧力逃しトリガボタンとの相対的位置を示す概略図である。
【図１６】本考案の第３の実施例において、ロック解除ユニットがロック位置に位置するときの、干渉部と位置規制環状縁部との相対的位置を示す概略図である。
【図１７】本考案の第３の実施例において、ロック解除ユニットが圧力逃し位置に位置するときの、干渉部と位置規制環状縁部との相対的位置を示す概略図である。
【図１８】本考案の安全圧力逃しキットを例示する概略図である。
【考案を実施するための形態】
【００２０】
本考案の目的、特徴および効果を十分に理解するため、ここに、下記の具体的な実施例によるとともに、添付の図面を参照しながら、本考案について次の通り詳しく説明する。
【００２１】
本考案の実施例は、炭酸水製造機に取り付けるための安全圧力逃し装置に関するものであり、前記炭酸水製造機は、液体にガスを注入して、液体を飲用に供する際にサイダー（ソーダ水）の口当たりを持たせるために用いられ、いくつかの家庭用タイプの炭酸水製造機は、二酸化炭素ボンベをガス供給源とし、液体を受け入れる容器が炭酸水製造機のガス注入アセンブリに取り付けられ、加圧する方式により二酸化炭素ガスを液体に注入するように構成されている。このため、炭酸水製造機のガス注入操作の後、液体の入った容器は高圧状態になる。本考案の実施例の安全圧力逃し装置では、ガス注入を完了した後まず圧力逃しを行なわなければ、容器の取り外しが許容されないメカニズムを提供する。これにより、容器を取り外す過程で、液体が飛び散って容器と共に噴出する状況が生じるのを回避することができる。
【００２２】
図１〜３には、本考案の第１の実施例の安全圧力逃し装置と耐圧容器とを例示する分解図および組み合わせ図が示されている。
【００２３】
該安全圧力逃し装置は、支持ベース１１０、圧力逃しユニット１２０、およびロック解除ユニット１３０を含み、該安全圧力逃し装置は、瓶口外側に位置規制環状縁部１１を備える耐圧容器１０を取り付けるために用いられる。
【００２４】
該支持ベース１１０は、該耐圧容器１０の瓶口に固定収容される取り付けポート１１１を備えている。例えば、該取り付けポート１１１は雌ねじを有しかつ該耐圧容器１０の瓶口は雄ねじを有し、これにより、該耐圧容器１０は瓶口上の雄ねじで該取り付けポート１１１の雌ねじに結合固定され、該取り付けポート１１１を該耐圧容器１０の内部空間に連通させる。
そのうち、該支持ベース１１０は、炭酸水製造機の二酸化炭素ボンベ（図示せず）に連結されるガス注入アセンブリを受載するために用いられ、該耐圧容器１０の瓶口が該取り付けポート１１１に固定収容されるとき、該ガス注入アセンブリは該耐圧容器１０に延入してガス注入を行うことができる。
【００２５】
該圧力逃しユニット１２０は該支持ベース１１０に設けられ、該圧力逃しユニット１２０は圧力逃しトリガボタン１２１を備え、該圧力逃しユニット１２０は管路（図示せず）を経由して該耐圧容器１０の内部空間に連通し、該圧力逃しトリガボタン１２１が押圧されたとき、該耐圧容器１０内のガスを排出させることができる。
【００２６】
該ロック解除ユニット１３０は、該支持ベース１１０上に可動に設けられることを含み、該ロック解除ユニット１３０は該支持ベース１１０に対して相対的にロック位置と圧力逃し位置との間で移動可能であり、該ロック解除ユニット１３０はトリガ部１３１および干渉部１３２を有し、該トリガ部１３１は該圧力逃しトリガボタン１２１に対応し、該干渉部１３２は該位置規制環状縁部１１に対応する。
【００２７】
本考案の第１の実施例において、該ロック解除ユニット１３０は、枢軸部１３３、押し下げ部１３４、および突き上げ部１３５を備え、該枢軸部１３３は該支持ベース１１０に枢接され、例えば、該支持ベース１１０は枢接孔１１３を有し、該枢軸部１３３は該枢接孔１１３内の短い円柱体に対応して収容される。該押し下げ部１３４と該突き上げ部１３５は、該枢軸部１３３に対して反対向きの両側に位置するため、該押し下げ部１３４が押し下げられたとき、該ロック解除ユニット１３０は該枢軸部１３３を中心に回転すると同時に、該突き上げ部１３５が上向きに移動し、該トリガ部１３１と該干渉部１３２は該突き上げ部１３５に設けられる。該トリガ部１３１は、該圧力逃しトリガボタン１２１に対して突出する突起であり、図３に示すように、該位置規制環状縁部１１は切り欠き１１Ａを有し、該干渉部１３２は、該位置規制環状縁部１１の切り欠き１１Ａに向かって突出するストッパである。
【００２８】
図４に示すように、該ロック解除ユニット１３０が該ロック位置に位置するときには、該トリガ部１３１は該圧力逃しトリガボタン１２１に当接されておらず、該干渉部１３２は該位置規制環状縁部１１に干渉し、本実施例においては、該干渉部１３２は該位置規制環状縁部１１の切り欠き１１Ａに係合して該耐圧容器１０が固定されるようにし、すなわち、該耐圧容器１０は回転して開けることはできず、取り外せなくする。
【００２９】
図５に示すように、該ロック解除ユニット１３０が該圧力逃し位置に位置するときには、該干渉部１３２は該位置規制環状縁部１１と分離し、かつ、該トリガ部１３１が該圧力逃しトリガボタン１２１を押圧し、例を挙げれば、該押し下げ部１３４が押し下げられかつ該突き上げ部１３５が上向きに移動する。該ロック解除ユニット１３０を、該ロック位置から該圧力逃し位置に変更するとき、該トリガ部１３１が該圧力逃しトリガボタン１２１を押圧し、トリガ圧力逃しユニット１２０が空気を行い、かつ、該干渉部１３２は、該位置規制環状縁部１１の切り欠き１１Ａから外れ、該耐圧容器１０を自由に取り外し可能にする。
【００３０】
本実施例においては、該支持ベース１１０は、該圧力逃しユニット１２０およびガス注入アセンブリを収容するように収容空間を画成する上蓋１１２およびシャーシ１１４を有していてよい。
【００３１】
好ましくは、該支持ベース１１０は、炭酸水製造機に結合させるための雄ねじを有する取り外し式連結部材１１５をさらに備え、これにより、該安全圧力逃し装置は、該取り外し式連結部材１１５によって炭酸水製造機に手軽に着脱することができ、モジュール化の、容易に着脱できる長所を有しており、仮に耐圧容器１０の内部で発泡した飲料が該圧力逃しユニット１２０から吹き零れることがあっても、炭酸水製造機側に逆流することが回避できる。さらには、該安全圧力逃し装置を容易に取り外してクリーニングすることができ、これにより、糖分を含む液体にガスを注入して糖分の付着や詰まりがもたらされた場合には、手軽かつ容易に着脱と洗浄を行うことができる。
これによって、本実施例の安全圧力逃しモジュールは、白湯以外の果汁や市販飲料等の液体に対するガス注入にも適用することができるようになり、また、該安全圧力逃し装置のモジュール化は、圧力逃しユニット１２０またはガス注入アセンブリが破損したとき、新しい安全圧力逃し装置に交換しさえすればよく、炭酸水製造機全体を廃棄する必要はなくなる。
【００３２】
図６に示すように、該圧力逃しユニット１２０は、好ましくは、第１の圧力逃し弁１２０Ａおよび第２の圧力逃し弁１２０Ｂを備え、単一の空気抜き弁のみを設ける場合に比べ、複数の空気抜き弁の配置は、ガス圧が過度に高まり空気抜きが間に合わないまたは単一の空気抜き弁故障のリスクを回避することができる。
図７に示すように、該第１の圧力逃し弁１２０Ａの圧力逃しトリガボタン１２１および第２の圧力逃し弁１２０Ｂの圧力逃しトリガボタン１２１’の位置、押しボタンの突出高さ、および押圧行程に対応するように、該ロック解除ユニット１３０の突き上げ部１３５はトリガ部１３１およびトリガ部１３１’を有する。
【００３３】
高圧用と低圧用の圧力逃し弁を備えていることが好ましく、該トリガ部１３１，１３１’がそれぞれの圧力逃し弁に対応して設けられ、該ロック解除ユニット１３０の操作の程度によって圧力の逃がし状態が異なるように構成されていることが好ましい。例えば、該ロック解除ユニット１３０の操作の程度が浅い場合には主に一方の圧力逃し弁から空気抜きが行なわれ、該ロック解除ユニット１３０の操作の程度が深い場合には双方の圧力逃し弁から空気抜きが行なわれるようにすれば、ガス圧が高い時でも急激なガス抜きを回避して緩やかなガス抜きが可能になる。
【００３４】
このように構成すれば、該ロック解除ユニット１３０の操作の程度を加減することにより、飲料が吹き零れることが無いように耐圧容器１０内の飲料の発泡の程度を抑制することができ、耐圧容器１０内の圧力が異常に高まったような場合には、該ロック解除ユニット１３０を大きく操作して安全に圧力を開放することができる。
【００３５】
図８および図９には、本考案の第２の実施例の安全圧力逃し装置と耐圧容器とを例示する分解図および組み合わせ図が示されている。
【００３６】
本考案の第２の実施例において、該ロック解除ユニット２３０は、平行移動部２３３、押動部２３４、および連動部２３５を備え、該平行移動部２３３は、該支持ベース２１０と線的に摺動可能に結合し、例を挙げれば、該支持ベース２１０はスライド溝２１３を有することができ、該平行移動部２３３は、該スライド溝２１３に対応して嵌合可能なスライダであり、該トリガ部２３１と該干渉部２３２は該連動部２３５に設けられる。
【００３７】
本実施例の支持ベース２１０は、該圧力逃しユニット１２０を収容するように収容空間を画成する上蓋２１２およびシャーシ２１４を有することができ、かつ、本実施例においては、該スライド溝２１３は該上蓋２１２両側の側壁に形成される。
【００３８】
図１０に示すように、該トリガ部２３１は、該圧力逃しトリガボタン１２１の方を向いた傾斜面２３１Ａが形成されており、該位置規制環状縁部１１は切り欠き１１Ａを有し、該干渉部２３２は、該位置規制環状縁部１１の切り欠き１１Ａに向かって突出するストッパである。
該ロック解除ユニット２３０が該ロック位置に位置するときには、該トリガ部２３１は該圧力逃しトリガボタン１２１に当接されておらず、該干渉部２３２は該位置規制環状縁部１１に干渉し、本実施例においては、該干渉部２３２は該位置規制環状縁部１１の切り欠き１１Ａに係合して該耐圧容器１０が固定されるようにし、すなわち、該耐圧容器１０は回転して開けることはできず、取り外せなくする。
【００３９】
図１１に示すように、該ロック解除ユニット２３０が該圧力逃し位置に位置するときには、該トリガ部２３１が該圧力逃しトリガボタン１２１を押圧し、かつ、該干渉部２３２と該位置規制環状縁部１１が分離し、本実施例においては、該押動部２３４が押動されかつ該連動部２３５が連動されて平行移動し、図中に示すように右向きに移動する。該ロック解除ユニット２３０を、該ロック位置から該圧力逃し位置に変更するとき、該トリガ部２３１が該圧力逃しトリガボタン１２１を押圧し、該圧力逃しトリガボタン１２１は、該傾斜面２３１Ａが右向きに移動するので圧入され、このとき該干渉部２３２は、該位置規制環状縁部１１の切り欠き１１Ａから外れ、該耐圧容器１０を自由に取り外し可能にする。
【００４０】
また、上記第１の実施例における他の追加的特徴（例えば、取り外し式連結部材１１５等）は、いずれも第２の実施例に応用することができる。
【００４１】
図１２および図１３には、本考案の第３の実施例の安全圧力逃し装置と耐圧容器とを例示する分解図および組み合わせ図が示されている。
【００４２】
本考案の第３の実施例において、該ロック解除ユニット３３０は、スリーブ部３３４、回転軌道部３３３、および駆動部３３５を備え、該回転軌道部３３３は、該支持ベース３１０と回転して動けるように結合し、例を挙げれば、該回転軌道部３３３は摺動レールであり、該支持ベース３１０は、該摺動レールに対応するスライダを有し、該トリガ部３３１は該スリーブ部３３４に設けられ、かつ、該圧力逃しトリガボタン１２１の方を向いた傾斜面３３１Ａが形成されており、該干渉部３３２は該駆動部３３５に設けられ、かつ、該駆動部３３５に駆動されて揺動可能である。
【００４３】
本実施例の支持ベース３１０は、該圧力逃しユニット１２０およびガス注入アセンブリを収容するように収容空間を画成する上蓋３１２およびシャーシ３１４を有することができ、かつ、本実施例においては、該回転軌道部３３３と回転して動けるように結合するためのスライダが該シャーシ３１４に設けられ得る。
【００４４】
本実施例において、該干渉部３３２は、回転軸によって該支持ベース３１０に回転連結し、該回転軸は該支持ベース３１０のシャーシ３１４に枢接可能であり、該駆動部３３５は、該スリーブ部３３４の内壁に形成されたラチェット溝であってよい。
【００４５】
図１４〜１７は、本実施例における該ロック解除ユニット３３０の、ロック位置と圧力逃し位置とにおける構造の連動関係を説明するための概略図であり、図１４および図１５は、該トリガ部３３１の該圧力逃しトリガボタン１２１に対する作動を示しており、図１６および図１７は、該干渉部３３２の該位置規制環状縁部１１Ａに対する作動を示している。
【００４６】
図１４に示すように、該ロック解除ユニット３３０はロック位置に位置し、該トリガ部３３１の傾斜面３３１Ａは該圧力逃しトリガボタン１２１を押圧しておらず、図１５に示すように、該スリーブ部３３４が回転されて該ロック解除ユニット３３０を圧力逃し位置に位置させたとき、該トリガ部３３１が該圧力逃しトリガボタン１２１を押圧する。
【００４７】
そのうち、該圧力逃しユニット１２０が複数個の圧力逃し弁を備え、複数個の圧力逃しトリガボタン１２１、１２１’を有するとき、該圧力逃しトリガボタン１２１および圧力逃しトリガボタン１２１’の位置、押しボタンの突出高さおよび押圧行程に対応し、該ロック解除ユニット３３０のスリーブ部３３４にトリガ部３３１およびトリガ部３３１’が形成されており、該トリガ部３３１と該トリガ部３３１’は傾斜面３３１Ａと３３１’Ａをそれぞれ有する。
【００４８】
図１６に示すように、該ロック解除ユニット３３０はロック位置に位置し、該干渉部３３２の一端が該駆動部３３５に収容され、かつ、他端は、該位置規制環状縁部１１の切り欠き１１Ａに係合し、該耐圧容器１０は位置規制され固定され、図１７に示すように、該スリーブ部３３４が回転されて該ロック解除ユニット３３０を圧力逃し位置に位置させたとき、該駆動部３３５が該干渉部３３２を駆動し、該干渉部３３２を揺動させて該位置規制環状縁部１１の切り欠き１１Ａから外れ、この状態で、該耐圧容器１０は該支持ベース３１０から取り外すことができる。
【００４９】
また、上記第１の実施例における他の追加的特徴（例えば、取り外し式連結部材１１５等）は、いずれも第３の実施例に応用することができる。
【００５０】
上記第１〜第３の実施例の安全圧力逃し装置は、図１８に示すように該耐圧容器と組み合わせて安全圧力逃しキットとすることができ、図中、第１の実施例の安全圧力逃し装置を例示的な説明としている。
【００５１】
さらに、該耐圧容器１０は、液体を操作制御するために液体流阻止制御弁１２をさらに有することができ、該耐圧容器１０を該安全圧力逃し装置から分離しなくても、その内部の液体を得ることができる。
【００５２】
つまり、本考案の第１〜第３の実施例の安全圧力逃し装置は、炭酸水製造機がガス注入を完了した後かつ耐圧容器を取り外す前に、まず圧力逃しを行う機能を果たすことができ、ひいては、炭酸水製造機の使用上の安全性を高めることができる。
【００５３】
本考案は、上記において、好ましい実施例により開示されているが、当業者が理解すべきなのは、該実施例は本考案の一例の記述に過ぎず、該記述により本考案の技術的範囲が制限されるものではなく、該実施例と同等の変更および置換はすべて、本考案の技術的範囲に含まれるというという点である。
【符号の説明】
【００５４】
１，１０：耐圧容器
１１：位置規制環状縁部
１１Ａ：切り欠き
１２：液体流阻止制御弁
１１０：支持ベース
１１１：取り付けポート
１１２：上蓋
１１３：枢接孔
１１４：シャーシ
１１５：取り外し式連結部材
１２０：圧力逃しユニット
１２０Ａ：第１の圧力逃し弁
１２０Ｂ：第２の圧力逃し弁
１２１，１２１’：圧力逃しトリガボタン
１３０：ロック解除ユニット
１３１、１３１’：トリガ部
１３２：干渉部
１３３：枢軸部
１３４：押し下げ部
１３５：突き上げ部
２１０：支持ベース
２１２：上蓋
２１３：スライド溝
２１４：シャーシ
２３０：ロック解除ユニット
２３１：トリガ部
２３１Ａ：傾斜面
２３２：干渉部
２３３：平行移動部
２３４：押動部
２３５：連動部
３１０：支持ベース
３１２：上蓋
３１４：シャーシ
３３０：ロック解除ユニット
３３１，３３１’：トリガ部
３３１Ａ、３３１Ａ’：傾斜面
３３２：干渉部
３３３：回転軌道部
３３４：スリーブ部
３３５：駆動部
【図１】
0003206897.tif 000003
【図２】
0003206897.tif 000004
【図３】
0003206897.tif 000005
【図４】
0003206897.tif 000006
【図５】
0003206897.tif 000007
【図６】
0003206897.tif 000008
【図７】
0003206897.tif 000009
【図８】
0003206897.tif 000010
【図９】
0003206897.tif 000011
【図１０】
0003206897.tif 000012
【図１１】
0003206897.tif 000013
【図１２】
0003206897.tif 000014
【図１３】
0003206897.tif 000015
【図１４】
0003206897.tif 000016
【図１５】
0003206897.tif 000017
【図１６】
0003206897.tif 000018
【図１７】
0003206897.tif 000019
【図１８】
0003206897.tif 000020